【手続補正書】
【提出日】平成18年7月25日(2006.7.25)
【手続補正１】
【補正対象書類名】明細書
【補正対象項目名】特許請求の範囲
【補正方法】変更
【補正の内容】
【特許請求の範囲】
【請求項１】  物体側から順に負の屈折力の第１群、正の屈折力の第２群そして第３群から構成され、互いのレンズ群間隔を変えることにより変倍するズームレンズにおいて、第１群はメニスカス状の負の第１１，第１２レンズと、メニスカス状の正の第１３レンズを有し、第２群は正の第２１，第２２レンズと負の第２３レンズ、そして正の第２４レンズを有し、第３群は正の第３１レンズを有し、該第１２レンズの像面側のレンズ面は非球面で構成されており、該第１２レンズの材質の屈折率をＮ１２ｎとしたとき、
１．５５＜Ｎ１２ｎ
なる条件式を満足することを特徴とするズームレンズ。
【請求項２】  前記第１２レンズと第１３レンズは空気を介して離れており、該第１２レンズの像面側のレンズ面の参照曲率半径をＲＮ、該第１３レンズの物体側のレンズ面の曲率半径をＲＰとしたとき、
０＜（ＲＰ＋ＲＮ）／（ＲＰ−ＲＮ）
なる条件式を満足することを特徴とする請求項１のズームレンズ。
【請求項３】  前記第１２レンズと第１３レンズは空気を介して離れており該第１２レンズと第１３レンズとの空気間隔をｄ、テレ端での第１群と第２群の間隔をｄＴ，第１群の焦点距離をｆ１、テレ端での全系の焦点距離をｆＴとしたとき、
０．１＜ｄ／｜ｆ１｜＜０．５
０．１＜ｄＴ／ｆＴ
なる条件式を満足することを特徴とする請求項１または２のズームレンズ。
【請求項４】  物体側から順に負の屈折力の第１群、正の屈折力の第２群そして第３群から構成され、互いのレンズ群間隔を変えることにより変倍するズームレンズにおいて、第１群はメニスカス状の負の第１１，第１２レンズとメニスカス状の正の第１３レンズを有し、第２群は正の第２１，第２２レンズ、負の第２３レンズ、そして正の第２４レンズを有し、第３群は正の第３１レンズを有し、ワイド端とテレ端での第２群の結像倍率をそれぞれβ２Ｗ，β２Ｔ、該第１群の焦点距離をｆ１、ワイド端、テレ端の全系の焦点距離を各々ｆＷ，ｆＴとしたとき
β２Ｗ×β２Ｔ≦１．０
１．１＜｜ｆ１｜／（ｆＷ×ｆＴ）1/2
なる条件式を満足することを特徴とするズームレンズ。
【請求項５】  物体側から順に負の屈折力の第１群、正の屈折力の第２群そして第３群から構成され、互いのレンズ群間隔を変えることにより変倍するズームレンズにおいて、第１群はメニスカス状の負の第１１，第１２レンズ、メニスカス状の正の第１３レンズを有し、第２群は正の第２１，第２２レンズ、負の第２３レンズ、そして正の第２４レンズを有し、第３群は正の第３１レンズを有し、第３群の焦点距離をｆ３、ワイド端の全系の焦点距離をｆＷとしたとき、
１０．０＜ｆ３／ｆＷ
なる条件式を満足することを特徴とするズームレンズ。
【請求項６】  物体側から順に負の屈折力の第１群、正の屈折力の第２群そして第３群から構成され、互いのレンズ群間隔を変えることにより変倍するズームレンズにおいて、第１群はメニスカス状の負の第１１，第１２レンズ、メニスカス状の正の第１３レンズを有し、第２群は正の第２１，第２２レンズ、負の第２３レンズ、正の第２４レンズを有し、第３群は正の第３１レンズを有し、第２２レンズと第２３レンズは互いに接合されて接合レンズを構成し、該接合レンズの焦点距離をｆＧ、第２群の焦点距離をｆ２、該第２２レンズと第２３レンズの材質の屈折率をＮ２２ｐ，Ｎ２３ｎ、該第２２レンズと第２３レンズの材質のアッベ数をν２２ｐ，ν２３ｎとしたとき
０．５＜｜ｆＧ｜／ｆ２＜２．５
０＜Ｎ２３ｎ−Ｎ２２ｐ＜０．２
５＜ν２２ｐ−ν２３ｎ＜３５
なる条件式を満足することを特徴とするズームレンズ。
【請求項７】  物体側から順に負の屈折力の第１群、正の屈折力の第２群そして第３群から構成され、互いのレンズ群間隔を変えることにより変倍するズームレンズにおいて、第１群はメニスカス状の負の第１１，第１２レンズと、メニスカス状の正の第１３レンズを有し、第２群は正の第２１，第２２レンズと負の第２３レンズ、そして正の第２４レンズを有し、第３群は正の第３１レンズを有し、第ｉ群の焦点距離をｆｉ、ワイド端とテレ端の該第２群の結像倍率を各々β２Ｗ，β２Ｔ、ワイド端とテレ端の全系の焦点距離を各々ｆＷ，ｆＴとしたとき
１．１＜｜ｆ１｜（ｆＷ×ｆＴ）1/2
１０＜ｆ３／ｆＷ
β２Ｗ×β２Ｔ≦１．０
を満足することを特徴とするズームレンズ。
【請求項８】  前記第１２レンズと第１３レンズとの空気間隔をｄ、テレ端では第１群と第２群の間隔をｄＴ、該第１２レンズの像面側のレンズ面の曲率半径をＲＮ、該第１３レンズの物体側のレンズ面の曲率半径をＲＰとしたとき
０．１＜ｄ／｜ｆ１｜＜０．５
０．１＜ｄＴ／ｆＴ
０＜（ＲＰ＋ＲＮ）／（ＲＰ−ＲＮ）
なる条件を満足することを特徴とする請求項７のズームレンズ。
【請求項９】  前記第１２レンズの材質の屈折率をＮ１２ｎ、前記第２２レンズと第２３レンズの材質の屈折率を各々Ｎ２２ｐ，Ｎ２３ｎ、該第２２レンズと第２３レンズの材質のアッベ数を各々ν２２ｐ，ν２３ｎ、該第２２レンズと第２３レンズとは互いに接合されて接合レンズを構成し、該接合レンズの焦点距離をｆＧとしたとき
１．５５＜Ｎ１２ｎ
０＜Ｎ２３ｎ−Ｎ２２ｐ＜０．２
５＜ν２２ｐ−ν２３ｎ＜３５
０．５＜｜ｆＧ｜／ｆ２＜２．５
なる条件を満足することを特徴とする請求項８のズームレンズ。
【請求項１０】  前記第１群の物体側に屈折力をほとんど持たない保護ガラスを配置していることを特徴とする請求項１から９のいずれか１項のズームレンズ。
【請求項１１】  請求項１から１０のいずれか１項のズームレンズを有していることを特徴とするカメラシステム。
【手続補正２】
【補正対象書類名】明細書
【補正対象項目名】００４１
【補正方法】変更
【補正の内容】
【００４１】
（第６発明）
第２２レンズと互いに接合されて接合レンズを構成し、該接合レンズの焦点距離をｆＧ、第２群の焦点距離をｆ２、該第２２レンズと第２３レンズの材質の屈折率をＮ２２ｐ，Ｎ２３ｎ、該第２２レンズと第２３レンズの材質のアッベ数をν２２ｐ，ν２３ｎとしたとき
０．５＜｜ｆＧ｜／ｆ２＜２．５    ‥‥‥（８）
０＜Ｎ２３ｎ−Ｎ２２ｐ＜０．２    ‥‥‥（９）
５＜ν２２ｐ−ν２３ｎ＜３５    ‥‥‥（１０）
なる条件式を満足することである。
【手続補正３】
【補正対象書類名】明細書
【補正対象項目名】００４４
【補正方法】変更
【補正の内容】
【００４４】
（第９発明）
前記第１２レンズの材質の屈折率をＮ１２ｎ、前記第２２レンズと第２３レンズの材質の屈折率を各々Ｎ２２ｐ，Ｎ２３ｎ、該第２２レンズと第２３レンズの材質のアッベ数を各々ν２２ｐ，ν２３ｎ、該第２２レンズと第２３レンズとは互いに接合されて接合レンズを構成し、該接合レンズの焦点距離をｆＧとしたとき
１．５５＜Ｎ１２ｎ    ‥‥‥（１）
０＜Ｎ２３ｎ−Ｎ２２ｐ＜０．２    ‥‥‥（９）
５＜ν２２ｐ−ν２３ｎ＜３５    ‥‥‥（１０）
０．５＜｜ｆＧ｜／ｆ２＜２．５    ‥‥‥（８）
なる条件を満足することである。
【手続補正４】
【補正対象書類名】明細書
【補正対象項目名】００６９
【補正方法】変更
【補正の内容】
【００６９】
また、第２群の第２３レンズとその物体側の第２２レンズは互いに接合されて接合レンズを構成しており、その合成焦点距離をｆＧ、第２群の焦点距離をｆ２、該接合レンズの第２２レンズ、第２３レンズの屈折率をＮ２２ｐ、Ｎ２３ｎ、アッべ数をそれぞれν２２ｐ，ν２３ｎとしたとき、条件式（８），（９），（１０）を満足することにより、より高い光学性能を維持することが可能となる。